(57)【要約】【課題】複数の表示パネルを配列して構成した画像表示装置において、良好な画像表示を実現することを目的とする。【解決手段】複数の表示パネル３を組み合わせて１つの表示画面２が構成される画像表示装置１であって、複数の表示パネル３は、画面サイズが異なる少なくとも２種類の表示パネルからなり、各表示パネル３は、画像表示部４と当該画像表示部４を囲む枠５とを備え、複数の表示パネル３は、表示画面２の略中央部には画面サイズが一番大きな表示パネルが配置されるように配列されている。【選択図】図１
2013117627.tif 000002
【特許請求の範囲】
【請求項１】
複数の表示パネルを組み合わせて１つの表示画面が構成される画像表示装置であって、
前記複数の表示パネルは、画面サイズが異なる少なくとも２種類の表示パネルからなり、各表示パネルは、画像表示部と前記画像表示部を囲む枠とを備え、
前記複数の表示パネルは、前記表示画面の略中央部には画面サイズが一番大きな表示パネルが配置されるように配列されている、
画像表示装置。
【請求項２】
さらに、開口を有するエスカッションを備え、
前記エスカッションは、前記表示画面の周囲の少なくとも一部を覆うように構成されている、
請求項１に記載の画像表示装置。
【請求項３】
前記開口のアスペクト比は、前記表示画面のアスペクト比と異なる、
請求項２に記載の画像表示装置。
【請求項４】
前記表示画面の形状は、非長方形であり、
前記開口の形状は、略長方形である、
請求項２に記載の画像表示装置。
【請求項５】
前記複数の表示パネルのうち前記画面サイズが一番大きな表示パネルの上下および左右に配列される表示パネルは、前記表示画面の中心を通る縦方向のライン部には前記枠のうち少なくとも前記縦方向に平行な枠が存在しないように、かつ、前記表示画面の中心を通る横方向のライン部には前記枠のうち少なくとも前記横方向に平行な枠が存在しないように、配列される、
請求項１から４のいずれか１項に記載の画像表示装置。
【請求項６】
前記表示パネルは、プラズマディスプレイパネル、液晶表示装置、有機ＥＬ表示装置、無機ＥＬ表示装置、および陰極線管の中から選ばれる少なくとも一つである、
請求項１から５のいずれか１項に記載の画像表示装置。
【請求項７】
複数の表示パネルを組み合わせて１つの表示画面が構成される画像表示装置についての表示パネルの配列方法であって、
各々が画像表示部と前記画像表示部を囲む枠とを備え、画面サイズが異なる少なくとも２種類の前記複数の表示パネルを準備する工程と、
前記複数の表示パネルのうち画面サイズが一番大きな表示パネルを前記表示画面の略中央部に配置されるように前記複数の表示パネルを配列して前記画像表示装置を構成する工程とを含む、
表示パネルの配列方法。
【発明の詳細な説明】
【技術分野】
【０００１】
本発明は、複数の表示パネルを用いた画像表示装置および表示パネルの配列方法に関する。
【背景技術】
【０００２】
近年、軽量化、薄型化、低消費電力化、高精細化、および表示画面の大型化（以下、「大画面化」と記載する）を実現する画像表示装置が要求されており、液晶表示装置（ＬＣＤ）、プラズマディスプレイパネル（ＰＤＰ）、エレクトロルミネッセンス（ＥＬ）表示装置、等の各種表示パネルの開発が進められている。
【０００３】
これら表示パネルは、近年、大画面化の開発が盛んに行われているが、このような大型サイズの表示画面をもってしても１つの表示パネルでは困難な画面サイズ、例えば広告目的などの用途に適したサイズでの大画面化も考えられている。これを実現するために、例えば、複数の表示パネルを配列することで構成された、いわゆるマルチ画面の画像表示装置の提案も近年、盛んになされている（例えば、特許文献１参照）。
【先行技術文献】
【特許文献】
【０００４】
【特許文献１】特開平５−１３７０９７号公報
【発明の概要】
【発明が解決しようとする課題】
【０００５】
しかしながら、複数の表示パネルを組み合わせることで大画面化した表示画面を有する画像表示装置においては、個々の表示パネルそれぞれは外枠（いわゆる、額縁）を有することから、この外枠が表示画面内に存在してしまうことになる。
【０００６】
最近では、従来に比べて外枠の幅が狭い表示パネル（いわゆる、狭額縁の表示パネル）が開発および商品化されているが、それでも外枠を皆無にすることはできていない。
【０００７】
したがって、このような従来のマルチ画面の画像表示装置では、表示画面に存在する各表示パネルの外枠により、表示画面に表示される画像を鑑賞する際に、見た目上の印象が悪くなり、この結果、良好な画像表示に支障をきたすといった問題がある。
【０００８】
本発明は、このような問題に鑑みてなされたものであり、画像表示装置の表示画面内に表示パネルの外枠が存在してしまう場合であっても、良好な画像表示が実現可能な画像表示装置を実現することを目的とする。
【課題を解決するための手段】
【０００９】
上述した目的を実現するために、本発明に係る画像表示装置の一態様は、複数の表示パネルを組み合わせて１つの表示画面が構成される画像表示装置であって、前記複数の表示パネルは、画面サイズが異なる少なくとも２種類の表示パネルからなり、各表示パネルは、画像表示部と前記画像表示部を囲む枠とを備え、前記複数の表示パネルは、前記表示画面の略中央部には画面サイズが一番大きな表示パネルが配置されるように配列されている、画像表示装置である。
【００１０】
この構成により、画像表示装置における表示画面の中央部には表示パネルの枠が存在しなくなる。
【００１１】
また、本発明に係る画像表示装置の一態様において、さらに、開口を有するエスカッションを備え、前記エスカッションは、前記表示画面の周囲の少なくとも一部を覆うように構成されている、とすることが好ましい。
【００１２】
この構成により、表示画面の周辺領域が非画像表示領域になったとしてもエスカッションによって当該非画像表示領域を覆うことができる。これにより、ユーザは非画像表示領域を視認することがなくなる。
【００１３】
また、本発明に係る画像表示装置の一態様において、前記開口のアスペクト比は、前記表示画面のアスペクト比と異なる、とすることができる。
【００１４】
あるいは、本発明に係る画像表示装置の一態様において、前記表示画面の形状は、非長方形であり、前記開口の形状は、略長方形である、とすることができる。
【００１５】
また、本発明に係る画像表示装置の一態様において、前記複数の表示パネルのうち前記画面サイズが一番大きな表示パネルの上下および左右に配列される表示パネルは、前記表示画面の中心を通る縦方向のライン部には前記枠のうち少なくとも前記縦方向に平行な枠が存在しないように、かつ、前記表示画面の中心を通る横方向のライン部には前記枠のうち少なくとも前記横方向に平行な枠が存在しないように、配列される、とすることが好ましい。
【００１６】
また、本発明に係る画像表示装置の一態様において、前記表示パネルは、プラズマディスプレイパネル、液晶表示装置、有機ＥＬ表示装置、無機ＥＬ表示装置、および陰極線管の中から選ばれる少なくとも一つである、とすることができる。
【００１７】
また、本発明に係る表示パネルの配列方法の一態様は、複数の表示パネルを組み合わせて１つの表示画面が構成される画像表示装置についての表示パネルの配列方法であって、各々が画像表示部と前記画像表示部を囲む枠とを備え、画面サイズが異なる少なくとも２種類の前記複数の表示パネルを準備する工程と、前記複数の表示パネルのうち画面サイズが一番大きな表示パネルを前記表示画面の略中央部に配置されるように前記複数の表示パネルを配列して前記画像表示装置を構成する工程とを含む、表示パネルの配列方法である。
【発明の効果】
【００１８】
本発明によれば、画像表示装置の表示画面内に表示パネルの外枠が存在してしまう場合であっても、良好な画像表示を実現することができる。
【図面の簡単な説明】
【００１９】
【図１】本発明の実施の形態１に係る画像表示装置の概略構成を示す斜視図である。
【図２】本発明の実施の形態１に係る画像表示装置の正面図である。
【図３】本発明の実施の形態２に係る画像表示装置の正面図である。
【図４】本発明の実施の形態２に係る画像表示装置の表示画面に画像を表示したときの一例を示す図である。
【図５】本発明の実施の形態３に係る画像表示装置の構成を概略的に示す図である。
【図６】本発明の実施の形態４に係る画像表示装置の正面図である。
【図７】本発明の実施の形態５に係る画像表示装置の正面図である。
【発明を実施するための形態】
【００２０】
以下、本発明の実施の形態に係る画像表示装置および表示パネルの配列方法について、図面を用いて説明する。なお、以下に説明する形態はあくまでも本発明の一実施の形態であって、本発明は、これらの構成に限定されるものではない。また、各図において、同じ構成要素については同じ符号を付している。
【００２１】
（実施の形態１）
まず、本発明の実施の形態１に係る画像表示装置１について、図１および図２を用いて説明する。図１は、本発明の実施の形態１に係る画像表示装置の概略構成を示す斜視図であり、図２は、図１に示した本発明の実施の形態１に係る画像表示装置を正面から見たときの状態を概略的に示す図である。
【００２２】
図１および図２に示すように、本実施の形態に係る画像表示装置１は、複数の表示パネル３を平面状に組み合わせることによって１つの表示画面２が構成された画像表示装置である。複数の表示パネル３の各々は、液晶表示装置（ＬＣＤ）、プラズマディスプレイパネル（ＰＤＰ）、有機ＥＬ表示装置（ＯＬＥＤ）、無機ＥＬ表示装置、陰極線管（ＣＲＴ）等の中から選ばれる少なくとも１つの表示デバイスを用いることができる。本実施の形態では、全て同じ表示デバイスを用いている。
【００２３】
複数の表示パネル３は、画面サイズが異なる少なくとも２種類以上の表示パネルからなり、本実施の形態では、表示パネル３１、３２、３３の３種類の画面サイズの表示パネルを用いている。具体的には、画面サイズが一番大きい表示パネル３１と、画面サイズが最も小さい表示パネル３２と、画面サイズが中程度の表示パネル３３とを用いており、これら３種類の画面サイズの表示パネル３１、３２、３３によって表示画面２が構成されている。
【００２４】
図２に示すように、複数の表示パネル３の各々は、画像表示部４と、画像表示部４の周囲に設けられた枠（外枠）５とを備える。上述のように、本実施の形態における表示パネル３は、３種類の画面サイズの表示パネル３１、３２、３３によって構成されており、表示パネル３１は画像表示部４１および枠５１を有し、表示パネル３２は画像表示部４２および枠５２を有し、表示パネル３３は画像表示部４３および枠５３を有する。
【００２５】
画像表示部４１、４２、４３の各々は、複数の画素によって構成されており、画像が表示される画像表示領域（画素領域）として機能する。また、枠５は、画像表示部４を囲む非画像表示領域（額縁領域）である。枠５は、例えば、画像表示部４の周縁を囲むように設けられたフレームであり、樹脂材料または金属材料等を用いてロの字状に成型または加工されている。なお、本明細書では、各表示パネルの画像表示部をまとめて画像表示部４とし、各表示パネルの枠をまとめて枠５として説明する場合もある。例えば、本実施の形態では、３つの画像表示部４１、４２、４３をまとめて画像表示部４とし、３つの枠５１、５２、５３をまとめて枠５として説明する場合もある。
【００２６】
ここで、複数の表示パネル３の画面サイズとしては、表示パネル３１における縦：横のアスペクト比（縦横比）を９：１６とし、表示パネル３２におけるアスペクト比を４．５：８（縦横比は９：１６）とし、表示パネル３３におけるアスペクト比を５：９（縦横比は略９：１６）となるように、画面サイズを選んでいる。
【００２７】
その上で、複数の表示パネル３は、画像表示装置１の表示画面２の略中央部には画面サイズが最も大きな表示パネル３１が配置されるように配列されており、残りの８つの表示パネル３２、３３は表示パネル３１を囲むように配列されている。すなわち、複数の表示パネル３のそれぞれの枠５（５１、５２、５３）が表示画面２の略中央部に存在しないように構成している。本実施の形態では、図２に示すように、表示画面２の略中央部には画面サイズが最も大きな表示パネル３１を配置し、この表示パネル３１の上側と下側とには画面サイズが最も小さい表示パネル３２を２つずつ左右に並べて配置し、そして表示パネル３１の左側と右側とには画面サイズが中程度の表示パネル３３を２つずつ上下に並べて配置している。このような配列とすることにより、複数の表示パネル３の枠５同士の接続部（つなぎ目）は、直線形状または三叉路形状（Ｔ字形状）となり、十字形状（クロス形状）とはならない。
【００２８】
また、複数の表示パネル３の各画面サイズを上述したように選んだ上で配列して画像表示装置１を構成することにより、図２に示すように、画像表示装置１の表示画面２の形状を略長方形の横長矩形とすることができる。
【００２９】
さらには、複数の表示パネル３は、表示画面２に表示する１フレームの画像（映像）のアスペクト比と表示画面２の略長方形のアスペクト比とが合致するように、複数の表示パネル３の各々の画面サイズを適宜選択した上で、配列しても良い。
【００３０】
以上、本実施の形態に係る画像表示装置１によれば、表示画面２の略中央部に画面サイズが最も大きな表示パネル３１が配列されているので、表示画面２の略中央部には表示パネル３の枠５が存在しなくなる。
【００３１】
ここで、一般的に画像表示装置の表示画面に１フレームの画像が表示された場合、１フレームの画像のうち表示画面の略中央部に表示される部分の画像は、表示画面の周辺部に表示される部分の画像と比べて、表示される画像における情報量が多く、また、視覚的に最も注目される頻度の高い部分である。例えば、表示画面の略中央部には人物の顔などが表示され、表示画面の周辺部には背景などが表示される。
【００３２】
したがって、複数の表示パネルを配列して構成した画像表示装置において、個々の表示パネルの枠が非画像表示領域として表示画面の中央部に存在してしまうと、表示画像のうち情報量が多い部分または注目頻度の高い部分が枠によって遮られてしまうことなり、この枠が表示画像の邪魔になってしまい非常に目立って見えてしまうという問題が生じていた。例えば、表示画面の中央部に人物の顔が存在し、表示画面の周辺部に背景が存在するような画像を表示させる場合、人物の顔が枠によって遮られてしまい、人物の顔が視認しにくくなるという問題が生じていた。
【００３３】
しかしながら、上述のように、本実施の形態に係る画像表示装置１によれば、その表示画面２の略中央部には画面サイズが一番大きな表示パネル３１が配置されているので、画像表示装置１の表示画面２の中央部にはどの表示パネル３の枠５も存在しない。したがって、枠５によって、表示画像のうち情報量の多い部分または注目頻度の高い部分が遮られてしまうことがなくなり、枠５が画像表示の邪魔になってしまうという問題の発生を低減することができる。この結果、画像表示装置１の表示画面２上に表示パネル３の枠５が存在してしまう場合であっても、表示される画像の見た目の印象を良くすることができ、良好な画像表示を実現することができる。
【００３４】
また、このように、本実施の形態は、複数の表示パネルの配列方法に特徴がある。このような表示パネルの配列方法としては、まず、上述のように、画面サイズが異なる少なくとも２種類以上の複数の表示パネル３を予め準備しておく（表示パネルの準備工程）。次に、複数の表示パネル３のうちの画面サイズが一番大きな表示パネル３１を表示画面２の略中央部に配置されるように複数の表示パネル３を配列する（表示パネルの配列工程）。これにより、複数の表示パネル３を組み合わせて１つの表示画面２とする画像表示装置１が構成される。
【００３５】
さらに、本実施の形態では、複数の表示パネル３の枠５同士の接続部が直線形状または三叉路形状（Ｔ字形状）であるので、枠５の存在によって表示画像の見た目の印象が悪くなることをさらに抑制することができる。すなわち、全て同じ画面サイズの複数の表示パネルを単に組み合わせた場合、複数の表示パネルの枠同士の接続部は十字形状となって表示画像の見た目の印象が著しく低下するが、複数の表示パネルの枠同士の接続部を本実施の形態のように構成することで、表示画像の見た目の印象を改善することができる。
【００３６】
なお、上述したような、表示画面２の中央部に枠５が存在しないような表示パネル３の配列をより確実なものとするためには、複数の表示パネル３を配列する際のパネルの列数および行数は、奇数列および奇数行とすることが好ましい。
【００３７】
（実施の形態２）
次に、本発明の実施の形態２に係る画像表示装置１Ａについて、図３を用いて説明する。図３は、本発明の実施の形態３に係る画像表示装置の正面図である。
【００３８】
実施の形態２に係る画像表示装置１Ａが実施の形態１に係る画像表示装置１と異なる点は、表示パネル３の画面サイズの種類である。すなわち、本実施の形態における画像表示装置１Ａは、表示パネル３として２種類の画面サイズの表示パネル３１、３２を用いて構成されている。
【００３９】
ここで、表示パネル３１、３２の画面サイズとしては、実施の形態１と同様に、表示パネル３１における縦：横のアスペクト比を９：１６とし、表示パネル３２におけるアスペクト比を４．５：８（縦横比は９：１６）となるように画面サイズを選び、その上で、画像表示装置１Ａの表示画面２Ａの略中央部には画面サイズの大きい方の表示パネル３１を配置し、この表示パネル３１の上側、下側、左側および右側には画面サイズの小さい方の表示パネル３２を２つずつ並べて配置している。これにより、画像表示装置１Ａの表示画面２Ａを構成している。
【００４０】
以上、本発明の実施の形態に係る画像表示装置１Ａによれば、実施の形態１と同様に、表示画面２Ａの略中央部には画面サイズが最も大きな表示パネル３１が配列されているので、画像表示装置１Ａの表示画面２Ａの中央部には表示パネル３の枠５が存在しない。したがって、枠５によって、表示画像のうち情報量の多い部分または注目度の高い部分が遮られてしまうことがなくなり、枠５が画像表示の邪魔になってしまうという問題の発生を低減することができる。この結果、表示される画像の見た目の印象を良くすることができ、良好な画像表示を実現することができる。
【００４１】
（実施の形態３）
次に、本発明の実施の形態３に係る画像表示装置１Ｂについて、図４および図５を用いて説明する。図４は、図３における本発明の実施の形態２に係る画像表示装置の表示画面に画像を表示したときの一例を示す図であり、図５は、本発明の実施の形態３に係る画像表示装置の構成を概略的に示す図である。
【００４２】
複数の表示パネルを平面状に配列して画像表示装置を構成した場合、その表示画面の形状は必ずしも一般的な画像を表示する際のアスペクト比である９：１６の比率にならないことがあり、それどころか、略長方形にすらならないこともある。例えば、本発明の実施の形態２に係る画像表示装置１Ａの場合においても、図３に示すように、表示画面２Ａの全体形状は、略長方形（略矩形）とはならずに、長方形の上下の辺の一部が上方向と下方向とに突出したような非長方形（非矩形）となっている。
【００４３】
このような形状の表示画面２Ａに画像を表示すると、図４に示すように、表示している画像１０の周辺に（図４では、画像１０の上下に）非画像表示領域２０が発生してしまう。つまり、表示画面２Ａの周辺画素領域（図４では、上下に突出した部分）が非画像表示領域２０になってしまう。この場合、ユーザが画像１０を鑑賞する際に、見た目上の印象が悪くなってしまい、この結果、良好な画像表示に支障をきたすといった問題が発生する。なお、非画像表示領域２０は、表示パネル３の画素領域であって表示可能領域ではあるが、矩形状の１フレームの画像を表示する際においては不要となる領域である。非画像表示領域２０は、例えば帯状に黒表示された領域である。
【００４４】
そこで、本発明の実施の形態３に係る画像表示装置１Ｂにおいては、表示画面の周囲の少なくとも一部を覆うようにエスカッション６が設けられている。エスカッション６は、開口を有する外枠であり、遮光部材によって構成されている。エスカッション６は、例えば、樹脂材料または金属材料によって形成することができる。
【００４５】
図５に示すように、本実施の形態では、複数の表示パネル３１、３２によって構成された表示画面２Ａの外周に、略長方形の開口を有するエスカッション６が設置されている。これにより、ユーザは、エスカッション６の内側に開口されている略長方形の開口領域を通して画像を視認することになる。
【００４６】
また、図５では、エスカッション６の開口の内側の輪郭線（内郭線）が、表示画面２Ａの外側の輪郭線（外郭線）よりも表示画面２Ａの内側よりとなるように構成されている。これにより、複数の表示パネル３１、３２の画素領域の一部がエスカッション６によって覆われることになる。したがって、この場合、表示画面２Ａに表示される画像のうちの一部がエスカッション６によって遮光（カット）されるので、ユーザは、表示画像のうちの周辺の一部がカットされた画像を視認することになる。
【００４７】
以上、本実施の形態に係る画像表示装置１Ｂによれば、略長方形の開口を有するエスカッション６が設けられているので、図４に示すように仮に表示画面２Ａの形状が非長方形であって表示画面２Ａに表示されている画像１０の周辺に非画像表示領域２０が発生したとしても、エスカッション６によって非画像表示領域２０が隠される。これにより、画像表示装置１Ｂの表示画像としては、エスカッション６の略長方形の開口を通した画像、すなわち略長方形の画像が常に表示されることになる。したがって、ユーザが画像を鑑賞する際に、見た目上の印象が悪くなってしまって良好な画像表示に支障をきたすという問題の発生を防ぐことが可能となる。これにより、見た目上の印象が良くなるので、良好な画像表示を実現することができる。
【００４８】
また、本実施の形態では、エスカッション６の開口によってユーザが視認する画像の形状を規定することができるので、画像表示装置における表示画面全体の形状に拘らず、複数の表示パネル３の画面サイズを選択することができる。つまり、複数の表示パネル３の組み合わせが、画像表示装置における表示画面の形状に制限されることがなくなる。このように、エスカッション６を設けることによって、複数の表示パネル３の組み合わせの自由度を大幅に向上させることが可能となり、既存の大きさの表示パネルを用いることで容易にマルチ画面の画像表示装置を実現することができる。
【００４９】
また、本実施の形態において、エスカッション６の開口のアスペクト比は、表示画面２Ａに表示される画像のアスペクト比と同じにすることが好ましい。これにより、表示される画像がカットされる割合を極力少なくすることができる。なお、エスカッション６の開口のアスペクト比としては、例えば、放送波の画像のアスペクト比と同じ１６：９とすることができる。
【００５０】
また、本実施の形態では、表示画面２Ａに表示された画像の一部がエスカッション６によってカットされるように構成されていたが、表示画面２Ａに表示された画像は必ずしもカットされるように構成しなくてもよい。表示画面２Ａに実際に表示される画像をカットするかどうかは、表示画面２Ａとエスカッション６の開口との形状および相対的位置関係によって調整することができ、表示画面２Ａに表示された画像をカットさせることなくユーザが全て視認できるように構成することもできる。
【００５１】
また、本実施の形態では、表示画面の全体形状が非長方形の場合について説明したが、表示画面の全体形状が略長方形の場合にも適用することができる。すなわち、表示画面の全体形状が略長方形の場合において、エスカッション６の略長方形の開口のアスペクト比が表示画面のアスペクト比と異なる場合にも適用することができる。
【００５２】
さらに、表示画面の全体形状が略長方形である場合、表示画面に表示される画像のアスペクト比と表示画面の略長方形のアスペクト比とを合致させることが好ましいが、仮に合致させることが困難である場合であっても、図５のように、表示画面の周囲にエスカッションを設けることによって、良好な画像表示に実現することができる。
【００５３】
また、表示画面２Ａの一部の領域を用いて１フレームの画像を表示する方法としては、図４に示すような方法に限らず、表示画面２Ａの上側領域、下側領域、左側領域および右側領域の少なくとも一部の領域に画像を表示しない領域を存在させることで、実際に画像表示を行う領域のアスペクト比を所望のアスペクト比とするような画像表示方法を採っても良い。なお、表示画面２Ａの一部の領域に１フレームの画像を表示するという画像表示を行うにあたっては、必要に応じて画像表示装置を構成する複数の表示パネルの駆動系を制御することで実現可能であることは言うまでもない。
【００５４】
（実施の形態４）
次に、本発明の実施の形態４に係る画像表示装置１Ｃについて、図６を用いて説明する。図６は、本発明の実施の形態４に係る画像表示装置の正面図である。
【００５５】
図６に示すように、本実施の形態に係る画像表示装置１Ｃでは、表示パネル３の使用数が少なくなるように表示パネル３を配列している。
【００５６】
本実施の形態における画像表示装置１Ｃは、３種類の画面サイズの表示パネル３１Ｃ、３２Ｃ、３３Ｃによって構成されている。具体的には、画面サイズが一番大きい表示パネル３１Ｃと、画面サイズが最も小さい表示パネル３２Ｃと、画面サイズが中程度の表示パネル３３Ｃとによって表示画面２Ｃが構成されている。なお、表示パネル３（３１Ｃ、３２Ｃ、３３Ｃ）の各々は、実施の形態１と同様に、画像表示部の周囲に設けられた枠５（５１Ｃ、５２Ｃ、５３Ｃ）を備える。
【００５７】
そして、本実施の形態においても、複数の表示パネル３は、画像表示装置１Ｃの表示画面２Ｃの略中央部には画面サイズが最も大きな表示パネル３１Ｃが配置されるように配列されおり、残りの６つの表示パネル３２Ｃ、３３Ｃは表示パネル３１Ｃを囲むように配列されている。本実施の形態では、図６に示すように、表示画面２Ｃの略中央部には画面サイズが最も大きな表示パネル３１Ｃを配置し、この表示パネル３１Ｃの上側と下側とにはそれぞれ画面サイズが中程度の表示パネル３３Ｃを２つずつ左右に並べて配置し、そして表示パネル３１Ｃの左側と右側とには画面サイズが最も小さい表示パネル３２Ｃが１つずつ表示パネル３３Ｃに挟まれるように配置している。このように、本実施の形態では、実施の形態１と比べて、使用する表示パネル３の数が２つ少なくなっている。
【００５８】
また、複数の表示パネル３の各画面サイズを上述したように選んだ上で配列して画像表示装置１Ｃを構成することにより、図６に示すように、画像表示装置１Ｃの表示画面２Ｃの形状を略長方形の横長矩形とすることができる。
【００５９】
以上、本実施の形態に係る画像表示装置１Ｃによれば、実施の形態１と同様に、表示画面２Ｃの略中央部は画面サイズが最も大きな表示パネル３１Ｃが配列されているので、表示画面２Ｃの中央部には表示パネル３の枠５が存在しなくなる。これにより、枠５によって、表示画像のうち情報量の多い部分または注目頻度の高い部分が遮られてしまうことがなくなり、枠５が画像表示の邪魔になってしまうという問題の発生を低減することができる。この結果、表示される画像の見た目の印象を良くすることができ、良好な画像表示を実現することができる。
【００６０】
さらに、本実施の形態では、表示パネル３の使用数を少なくしているので、画像表示装置１Ｃの表示画面２Ｃの全域において枠５の存在を少なくすることが可能となる。これにより、画像表示の邪魔となる枠５をさらに排除することができるので、表示される画像の見た目の印象を一層良くすることができ、より良好な画像表示を行うことができる。
【００６１】
（実施の形態５）
次に、本発明の実施の形態５に係る画像表示装置１Ｄについて、図７を用いて説明する。図７は、本発明の実施の形態５に係る画像表示装置の正面図である。
【００６２】
実施の形態５に係る画像表示装置１Ｄが実施の形態１に係る画像表示装置１と異なる点は、複数の表示パネル３の配置である。すなわち、図７に示すように、本実施の形態に係る画像表示装置１Ｄでは、表示画面２Ｄの中央部（中央領域）２ａのみならず、表示画面２Ｄの縦方向の中央ライン部２ｂおよび横方向の中央ライン部２ｃにも、表示パネル３の枠５の存在が極力少なくなるように、複数の表示パネル３が配列されている。縦方向の中央ライン部２ｂは、表示画面２Ｄ（表示パネル３１Ｄ）の中心を通り、かつ、表示画面２Ｄの縦方向に沿った領域であり、横方向の中央ライン部２ｃは、表示画面２Ｄ（表示パネル３１Ｄ）の中心を通り、かつ、表示画面２Ｄの横方向に沿った領域である。
【００６３】
本実施の形態における画像表示装置１Ｄは、画面サイズが一番大きい表示パネル３１Ｄと表示パネル３１Ｄよりも画面サイズが小さい表示パネル３２Ｄ、３３Ｄとの３種類の画面サイズの表示パネルを備えており、これらの表示パネル３１Ｄ、３２Ｄ、３３Ｄを組み合わせることによって表示画面２Ｄが構成されている。なお、表示パネル３（３１Ｄ、３２Ｄ、３３Ｄ）の各々は、実施の形態１と同様に、画像表示部の周囲に設けられた枠５（５１Ｄ、５２Ｄ、５３Ｄ）を備える。
【００６４】
そして、本実施の形態では、表示画面２Ｄにおける中央部２ａ、縦方向の中央ライン部２ｂおよび横方向の中央ライン部２ｃにおいて、複数の表示パネル３１Ｄ、３２Ｄ、３３Ｄの枠５（５１Ｄ、５２Ｄ、５３Ｄ）が極力存在しないように、複数の表示パネル３１Ｄ、３２Ｄ、３３Ｄが配列されている。具体的には、画面サイズが一番大きな表示パネル３１Ｄの上下および左右に配列される表示パネル３２Ｄ、３３Ｄは、縦方向の中央ライン部２ｂには枠５のうち少なくとも表示画面２Ｄの縦方向に平行な枠５（辺）が存在しないように配列されており、かつ、横方向の中央ライン部２ｃには枠５のうち少なくとも表示画面２Ｄの横方向に平行な枠５が存在しないように配列されている。具体的には、図７に示すように、表示画面２Ｄの略中央部には画面サイズが最も大きな表示パネル３１Ｄを配置し、この表示パネル３１Ｄの上側と下側とにはそれぞれ表示パネル３２Ｄを３つずつ左右一列に並べて配置し、そして表示パネル３１Ｄの左側と右側とには表示パネル３３Ｄが１つずつ配置している。これにより、表示画面２Ｄの中央部２ａには枠５が存在せず、また、縦方向の中央ライン部２ｂには、枠５のうち縦方向に沿った部分（辺）については存在せず、また、横方向の中央ライン部２ｃには、枠５のうち横方向に沿った部分（辺）については存在しない。
【００６５】
なお、複数の表示パネル３の各画面サイズを上述したように選んだ上で配列して画像表示装置１Ｄを構成することにより、図７に示すように、画像表示装置１Ｄの表示画面２Ｄの形状を略長方形の横長矩形とすることができる。
【００６６】
以上、本実施の形態に係る画像表示装置１Ｄによれば、複数の表示パネル３を上記のように配列することで、表示画面２Ｄ内において、中央部２ａ、縦方向の中央ライン部２ｂ、および横方向の中央ライン部２ｃに、枠５の存在を少なくすることが可能となる。これにより、実施の形態１と比べて、画像表示の邪魔となる枠５をさらに排除することができるので、表示される画像の見た目の印象を一層良くすることができ、より良好な画像表示を行うことができる。
【００６７】
なお、本実施の形態においても、表示画面２Ｄのアスペクト比を、表示する画像のアスペクト比と合致させるとしても良い。
【００６８】
以上、本発明に係る画像表示装置および表示パネルの配列方法について、実施の形態に基づいて説明したが、本発明は、上記の実施の形態に限定されるものではない。
【００６９】
例えば、上記の実施の形態においては、一般的に商品化されている表示パネルの表示画面のアスペクト比が９：１６であること、および、表示される画像（映像）のアスペクト比も９：１６であること、を考慮し、アスペクト比が９：１６である複数の表示パネル３を配列して画像表示装置を構成し、その結果として、構成した画像表示装置が備える表示画面も９：１６となるようにした例を示した。しかしながら、複数の表示パネル３の個々の表示画面のアスペクト比あるいは画像表示装置における表示画面のアスペクト比は、特に９：６に限るものではない。例えば、任意のアスペクト比の複数の表示パネル３を用いて配列し、結果として、任意のアスペクト比の表示画面を備えた画像表示装置を構成しても、本発明の範疇に含まれる。また、各表示パネル３の大きさについても、上記の実施の形態のものに限られず、任意の大きさの表示パネル３を用いることができる。
【００７０】
また、上記の実施の形態において、複数の表示パネル３は、すべて同種の表示デバイス、例えばＰＤＰのみで構成する必要はなく、例えばＰＤＰとＬＣＤとを組み合わせて画像表示装置を構成しても良い。なお、表示パネルとしては、ＰＤＰ、ＬＣＤ、有機ＥＬ表示装置または無機ＥＬ表示装置に限らず、ＦＥＤ等のその他の表示デバイスを用いることもできる。
【００７１】
また、上記の実施の形態において、表示パネル３の枠５はフレームとしたが、これに限らない。枠５としては、フレーム等の物理的構造体ではなく、表示パネル上の画素が形成されていない非画素形成領域等としても構わない。
【００７２】
また、上記の実施の形態における表示パネルの配列方法は、各工程を含む画像表示装置の製造方法としても実現することができる。
【００７３】
その他、各実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【産業上の利用可能性】
【００７４】
本発明は、複数の表示パネルによって構成される画像表示装置等において有用であり、広告目的等の大画面の画像表示装置等において広く利用することができる。
【符号の説明】
【００７５】
１、１Ａ、１Ｂ、１Ｃ、１Ｄ  画像表示装置
２、２Ａ、２Ｃ、２Ｄ  表示画面
２ａ  中央部
２ｂ、２ｃ  中央ライン部
３、３１、３１Ｃ、３１Ｄ、３２、３２Ｃ、３２Ｄ、３３、３３Ｃ、３３Ｄ  表示パネル
４、４１、４２、４３  画像表示部
５、５１、５１Ｃ、５１Ｄ、５２、５２Ｃ、５２Ｄ、５３、５３Ｃ、５３Ｄ  枠
６  エスカッション
１０  画像
２０  非画像表示領域
【図４】
2013117627.tif 000003
【図７】
2013117627.tif 000004
【図１】
2013117627.tif 000005
【図２】
2013117627.tif 000006
【図３】
2013117627.tif 000007
【図５】
2013117627.tif 000008
【図６】
2013117627.tif 000009